(57)【要約】      （修正有）【課題】腰や腹、臀部付近の筋肉をトレーニングするための腰用運動器具を提供する。【解決手段】腰用運動器具は、円環状を呈する環状レール１０と、環状レールに取り付けられ、環状レールに沿って周回する摺動部材２０と、ひも３２により摺動部材に連結されるおもり部材３１と、を有する。腰用運動器具を使用する時は、環状レールを使用者の腰の位置にセットし、腰及び臀部を左右前後に振ると、おもり部材及び摺動部材が回転し、簡単に筋肉をトレーニングすることが出来る。【選択図】図１
0003185120.tif 000002
【実用新案登録請求の範囲】
【請求項１】
円環状を呈する環状レールと、
前記環状レールに取り付けられ、該環状レールに沿って周回する摺動部材と、
ひもにより前記摺動部材に連結されるおもり部材と、を有することを特徴とする腰用運動器具。
【請求項２】
前記環状レールは、上部周縁、下部周縁、外周面を有し、円環状を呈するメインプレートと、該メインプレートの上部周縁及び下部周縁にそれぞれ延設され、該メインプレートの外周面から径方向に向かって延出し、外周縁を備える２つの延出プレートと、該延出プレートの外周縁にそれぞれ延設され、互いに対向するように設けられる２つの止めプレートと、該メインプレートと延出プレートと止めプレートとの間に形成される環状溝部と、を備え、
前記摺動部材は、摺動可能に前記環状レールの環状溝部に取り付けられ、２つの横平面及び複数の内輪を備え、その内、それらの横平面はそれぞれ、該環状レールの延出プレートと対応するように設けられ、それらの内輪はそれぞれ、該環状レールにおけるメインプレートと延出プレートとの間に位置するように、回転可能に該横平面に取り付けられることを特徴とする請求項１に記載の腰用運動器具。
【請求項３】
前記摺動部材は、さらに、縦平面及び複数の外輪を備え、該縦平面は、前記環状レールの外側に向かって設けられ、それらの外輪は、該環状レールの２つの止めプレートの間に位置するように、回転可能に該縦平面に取り付けられることを特徴とする請求項２に記載の腰用運動器具。
【請求項４】
前記環状レールの各延出プレートは、外側面を備え、
該環状レールは、さらに、第一組合端と、第二組合端と、複数の係合凸部と、２つの係合部材と、２つのばねとを備え、その内、それらの係合凸部は、該第一組合端の近傍、且つ、該延出プレートの外側面に間隔をおいて設けられ、それらの係合部材は、該第二組合端の近傍、且つ、該延出プレートの外側面に枢設されると共に、対応する該係合凸部に係合され、それらのばねは、該係合部材と延出プレートとの間に取り付けられ、それぞれの両端が該係合部材及び延出プレートに当接されることを特徴とする請求項２または３に記載の腰用運動器具。
【請求項５】
また、前記環状レールは、弧状のものと共に、断面が該環状レールの断面と同一である複数の湾曲状レールと、第一組立レールと、第二組立レールとを備え、その内、それらの湾曲状レールは、一つずつ順に枢設されるように円弧状に組立てられ、該第一組立レールと第二組立レールは、円弧状に組立てられた該湾曲状レールの両端に枢設され、
前記係合凸部は、前記第一組立レールに設けられ、
前記係合部材及びばねは、前記第二組立レールに取り付けられることを特徴とする請求項４に記載の腰用運動器具。
【請求項６】
前記環状レールに内周面を有し、該環状レールの内周面にクッションが取り付けられることを特徴とする請求項1乃至３の何れか１項に記載の腰用運動器具。
【考案の詳細な説明】
【技術分野】
【０００１】
本考案は、特に腰部や腹部、臀部付近の筋肉をトレーニングするための腰用運動器具に関するものである。
【背景技術】
【０００２】
現代人は仕事が忙しく、室外で運動する時間があまりないので、室内でトレーニングができる運動器具を開発してきた。その中でも、腰や腹、臀部などに対してトレーニングするためのフラフープは、腰を振ってフラフープを回転させることにより、腰や腹、臀部付近の筋肉をトレーニングするものである。
【先行技術文献】
【特許文献】
【０００３】
【特許文献１】特開２００２−１１１１２号公報
【考案の概要】
【考案が解決しようとする課題】
【０００４】
しかしながら、既存のフラフープは、人間の腰よりかなり大きいことから、回転させると、腰や腹の付近にぶつかるので、激しい動きをしたり、或いは正しくない方法で使用すると、腰や腹の付近が筋肉痛となってしまったり、場合によっては、体の椎体と椎体との間にある椎間板の一部が突出し、椎間板ヘルニアを患ってしまい、更に、既存のフラフープは、重ければ重いほど、スポーツ障害を起す危険性もある。
【課題を解決するための手段】
【０００５】
本考案に係る腰用運動器具は、円環状を呈する環状レールと、前記環状レールに取り付けられ、該環状レールに沿って周回する摺動部材と、ひもにより前記摺動部材に連結されるおもり部材と、を有するものである。
【０００６】
また、かかる腰用運動器具において、前記環状レールは、上部周縁、下部周縁、外周面を有し、円環状を呈するメインプレートと、該メインプレートの上部周縁及び下部周縁にそれぞれ延設され、該メインプレートの外周面から径方向に向かって延出し、外周縁を備える２つの延出プレートと、該延出プレートの外周縁にそれぞれ延設され、互いに対向するように設けられる２つの止めプレートと、該メインプレートと延出プレートと止めプレートとの間に形成される環状溝部と、を備え、
前記摺動部材は、摺動可能に前記環状レールの環状溝部に取り付けられ、２つの横平面及び複数の内輪を備え、その内、それらの横平面はそれぞれ、該環状レールの延出プレートと対応するように設けられ、それらの内輪はそれぞれ、該環状レールにおけるメインプレートと延出プレートとの間に位置するように、回転可能に該横平面に取り付けられることが好ましい。
【０００７】
また、かかる腰用運動器具において、前記摺動部材は、さらに、縦平面及び複数の外輪を備え、該縦平面は、前記環状レールの外側に向かって設けられ、それらの外輪は、該環状レールの２つの止めプレートの間に位置するように、回転可能に該縦平面に取り付けられることが好ましい。
【０００８】
また、かかる腰用運動器具において、前記環状レールの各延出プレートは、外側面を備え、
該環状レールは、さらに、第一組合端と、第二組合端と、複数の係合凸部と、２つの係合部材と、２つのばねとを備え、その内、それらの係合凸部は、該第一組合端の近傍、且つ、該延出プレートの外側面に間隔をおいて設けられ、それらの係合部材は、該第二組合端の近傍、且つ、該延出プレートの外側面に枢設されると共に、対応する該係合凸部に係合され、それらのばねは、該係合部材と延出プレートとの間に取り付けられ、それぞれの両端が該係合部材及び延出プレートに当接されることが好ましい。
【０００９】
また、かかる腰用運動器具において、また、前記環状レールは、弧状のものと共に、断面が該環状レールの断面と同一である複数の湾曲状レールと、第一組立レールと、第二組立レールとを備え、その内、それらの湾曲状レールは、一つずつ順に枢設されるように円弧状に組立てられ、該第一組立レールと第二組立レールは、円弧状に組立てられた該湾曲状レールの両端に枢設され、
前記係合凸部は、前記第一組立レールに設けられ、
前記係合部材及びばねは、前記第二組立レールに取り付けられることが好ましい。
【００１０】
また、かかる腰用運動器具において、前記環状レールに内周面を有し、該環状レールの内周面にクッションが取り付けられることが好ましい。
【考案の効果】
【００１１】
本考案に係る腰用運動器具を使用する時は、環状レールを使用者の腰の位置にセットし、腰及び臀部を左右前後に振ると、おもり部材及び摺動部材が回転し、簡単に筋肉をトレーニングすることが出来る。また、この構成によれば、腰又は腹付近にぶつかることはないことから、筋肉痛やスポーツ障害が起きることはないので、使用上極めて安全である。
【図面の簡単な説明】
【００１２】
【図１】本考案に係る腰用運動器具の斜視図である。
【図２】本考案に係る腰用運動器具の部分分解斜視図である。
【図３】本考案に係る腰用運動器具の部分拡大断面図である。
【図４】本考案に係る腰用運動器具の部分拡大平面図である。
【図５】本考案に係る腰用運動器具の使用状態を示す説明図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１の示すように、本考案に係る腰用運動器具は、環状レール１０と、摺動部材２０と、おもり部材３１と、クッション４０とを有するものである。
【００１５】
図３及び図５に示すように、前記環状レール１０は、円環状を呈すると共に、メインプレート１１と、２つの延出プレート１２と、２つの止めプレート１３とを備え、使用者のウエストに合わせてしっかりと位置決めするために、円周の長さが調整可能である。
【００１６】
前記メインプレート１１は、円環状を呈し、上部周縁と、下部周縁と、外周面と、内周面とを有する。前記２つの延出プレート１２はそれぞれ、該メインプレート１１の外側に向かって該上部周縁及び該下部周縁に延設される。また、該各延出プレート１２は、外周面及び外側面を有する。
【００１７】
前記２つの止めプレート１３はそれぞれ、それらの延出プレート１２の外周縁に互いに対向するように延設され、且つ、該２つの止めプレート１３は、メインプレート１１と離間するように平行に設けられ、該メインプレート１１と延出プレート１２と止めプレート１３との間に環状溝部１４が形成される。
【００１８】
図２に示すように、その摺動部材２０は、摺動可能に環状レール１０の環状溝部１４に取り付けられることから、摺動部材２０を環状レール１０環状溝部１４に沿って周回させることができる。また、前記摺動部材２０は、上下の２つの横平面と、それらの横平面の間の１つの縦平面と、複数の内輪２１と、複数の外輪２２とを備え、それらの横平面はそれぞれ、環状レール１０の延出プレート１２と対応するように設けられ、一方、その縦平面は、環状レール１０の外側に向かって設けられ、それらの内輪２１は、環状レール１０におけるメインプレート１１と延出プレート１２との間に位置するように、回転可能に摺動部材２０の横平面に取り付けられ、一方、それらの外輪２２は、環状レール１０における２つの止めプレート１３の間に位置するように、回転可能に摺動部材２０の縦平面に取り付けられる。
【００１９】
前記構造によれば、その摺動部材２０が環状レール１０の環状溝部１４を周回するとき、それらの内輪２１は、メインプレート１１または延出プレート１２に接触しながら、メインプレート１１または延出プレート１２に沿って回転することから、周回時における横方向への振動を抑えるので、摺動部材２０を横方向にしっかりと保持することが出来る。
【００２０】
一方、前記外輪２２は、環状レール１０の止めプレート１３に接触しながら、止めプレート１３に沿って回転することから、周回時における縦方向への振動を抑えるので、摺動部材２０を縦方向にしっかりと保持することが出来る。
【００２１】
前記おもり部材３１は、ひも３２により摺動部材２０と連結され、また、環状レール１０のメインプレート１１の内周面にクッション４０が設けられる。
【００２２】
図４に示すように、本考案に係る実施例における環状レール１０は、複数の弧状レールの両端を組み合わせて円環状としたものであり、第一組合端１０Ａと、第二組合端１０Ｂと、複数の係合凸部１５と、２つの係合部材１６と、２つのばね１７とを備え、その内、第一組合端１０Ａは、環状レール１０の一端に設けられ、該第二組合端１０Ｂは、環状レール１０の他端に設けられ、それら係合凸部１５はそれぞれ、環状レール１０の第一組合端１０Ａの近傍且つ環状レール１０の延出プレート１２の異なる外側面に間隔をおいて設けられ、それら係合部材１６はそれぞれ、環状レール１０の第二組合端１０Ｂの近傍且つ環状レール１０の延出プレート１２の異なる外側面に枢設され、それらのばね１７は、その両端がそれぞれ、係合部材１６及び延出プレート１２に当接されるように、各係合部材１６と対応する延出プレート１２の間に取り付けられる。
【００２３】
また、前記環状レール１０の第一組合端１０Ａを第二組合端１０Ｂに組み合わせる場合、ばね１７により係合部材１６が押圧されることによって、係合部材１６が係合凸部１５に係合されるので、環状レール１０を円環状に組み立てることが出来る。
【００２４】
さらに、本考案に係る実施例における環状レール１０は、弧状を呈すると共に、断面が環状レール１０の断面と同一である、複数の湾曲状レール１０３と、第一組立レール１０１と、第二組立レール１０２とを備える。
【００２５】
それらの湾曲状レール１０３は、一つずつ順に枢設されるように円弧状に組み立てられ、前記第一組立レール１０１は、円弧状に組立てられた湾曲状レール１０３の一端に枢設され、前記第二組立レール１０２は、円弧状に組立てられた湾曲状レール１０３の他端に枢設される。また、前記係合凸部１５は、第一組立レール１０１に設けられ、上述した係合部材１６及びばね１７は、第二組立レール１０２に設置される。
【００２６】
本考案に係る腰用運動器具を使用する時は、まず環状レール１０を使用者５０の腰の位置にセットし、使用者５０が腰や臀部を前後左右に振ると、おもり部材３１が周回し、それに伴ない、摺動部材２０も環状レール１０の環状溝部１４に沿って周回するので、、使用者５０は、腰や腹、臀部付近の筋肉を簡単にトレーニングすることが出来る。
【００２７】
本考案に係る腰用運動器具において、使用者５０のウエストに環状レール１０をセットする方式であることから、おもり部材３１及び摺動部材２０が周回しても、使用者５０の腰又は腹付近にぶつかることはなく、筋肉痛やスポーツ障害などを引き起こす虞はないので、使用上極めて安全である。また、環状レール１０の体と接触する内側にはクッション４０が設けられていることから、環状レール１０が直接に使用者５０と接触することはないので、体に優しく違和感もない。
【符号の説明】
【００２８】
１０  環状レール
１０１ 第一組立レール
１０２ 第二組立レール
１０３ 湾曲状レール
１１  メインプレート
１２  延出プレート
１３  止めプレート
１４  環状溝部
１５  係合凸部
１６  係合部材
１７  ばね
２０  摺動部材
２１  内輪
２２  外輪
３１  おもり部材
３２  ひも
４０  クッション
５０  使用者
【図１】
0003185120.tif 000003
【図２】
0003185120.tif 000004
【図３】
0003185120.tif 000005
【図４】
0003185120.tif 000006
【図５】
0003185120.tif 000007